(57)【特許請求の範囲】
【請求項１】
ＡＣインレットが形成された直方体形状のＡＣアダプター本体、および前記ＡＣアダプター本体から延びるＤＣケーブルを備えるＡＣアダプターと、
前記ＡＣアダプターを載置する載置面を備えている収納トレイとを有し、
前記ＤＣケーブルは、前記収納トレイの前記載置面と直交する方向から見たときに８の字形状に束ねられた束ね部分を備えており、
前記ＡＣアダプター本体と前記ＤＣケーブルの束ね部分とは、前記ＡＣアダプター本体の長手方向と前記ＤＣケーブルの前記束ね部分の長手方向とが平行になるようにして、前記載置面上の隣接位置に収納され、
前記ＤＣケーブルの束ね部分が載置されている前記載置面の載置部位からは、前記束ね部分の長手方向において所定間隔で対峙する一対のケーブル巻取り用突起が突出しており、
前記載置面の前記載置部位における前記一対のケーブル巻取り用突起の中央部分には、前記束ね部分の長手方向と直交する方向で、前記ＤＣケーブルの直径より広く、かつ、この直径の２倍よりも狭い間隔を開けて対峙する一対のケーブルガイド用突起が突出しており、
前記ＤＣケーブルの束ね部分は、当該束ね部分の長手方向の両側に位置している前記８の字形状の一対の湾曲部分が前記一対のケーブル巻取り用突起に巻き付けられ、前記８の字形状の交差部分が前記一対のケーブルガイド用突起の間に配置されていることを特徴とするＡＣアダプターユニット。
【請求項２】
前記一対のケーブル巻取り用突起の上端部分には、それぞれ前記束ね部分の長手方向の外側に向かって突出する係止用突起が形成されていることを特徴とする請求項１に記載のＡＣアダプターユニット。 
【請求項３】
前記ＤＣケーブルには、フェライトコアが取り付けられており、
前記ＤＣケーブルの前記フェライトコアよりも前記ＡＣアダプター側の第１ケーブル部分と、前記ＤＣケーブルの前記フェライトコアよりも前記ＡＣアダプターとは反対側の第２ケーブル部分とは、重ならないように収納されており、
前記第２ケーブル部分に前記束ね部分が設けられていることを特徴とする請求項１または２に記載のＡＣアダプターユニット。
【請求項４】
前記収納トレイには、前記ＡＣアダプター本体における前記ＡＣインレットの形成部分を外部に露出させる開口が形成されていることを特徴とする請求項１ないし３のうちのいずれかの項に記載のＡＣアダプターユニット。
【請求項５】
直流電力により駆動される電子機器と、
請求項１ないし４のうちのいずれかの項に記載のＡＣアダプターユニットとを備えており、
前記ＡＣアダプターユニットの前記収納トレイは、前記電子機器の底部分に下側から取り付けられていることを特徴とする電子機器ユニット。
【請求項６】
請求項５に記載の電子機器ユニットにおいて、
前記電子機器は、プリンターであることを特徴とする電子機器ユニット。
【発明の詳細な説明】
【技術分野】
【０００１】
本発明は、ＡＣアダプター本体とＤＣケーブルとをＤＣケーブルの輻射ノイズが増幅されないようにコンパクトに収納したＡＣアダプターユニット、ＡＣアダプターの収納トレイ、および、電子機器ユニットに関する。
【背景技術】
【０００２】
直流電力によって駆動されるプリンターなどの電子機器の中には、交流電力を直流電力に変換する電源装置として、電子機器とは別体のＡＣアダプターを備えるものがある。例えば、特許文献１のＡＣアダプターは、ＡＣケーブルが着脱可能に接続されるＡＣインレットが形成されたＡＣアダプター本体と、ＡＣアダプター本体から延びているＤＣケーブルを備えている。ＡＣケーブルをＡＣインレットに接続し、このＡＣケーブルのプラグピンを交流電力のコンセントに接続すれば、ＡＣケーブルを介してＡＣアダプターに供給される交流電力はＡＣアダプター本体によって直流電力に変換され、ＤＣケーブルを介して電子機器へと供給される。
【先行技術文献】
【特許文献】
【０００３】
【特許文献１】特開２０００−１６４３０６号公報
【発明の概要】
【発明が解決しようとする課題】
【０００４】
一般的に、ＡＣアダプターのＤＣケーブルはある程度の長さを備えており、ＤＣケーブルを引き回すことによって電子機器の設置の自由度を確保するようになっている。このため、電子機器の近傍にＡＣアダプター本体を配置しておくと、この長いＤＣケーブルが邪魔になるという問題がある。ここで、ＡＣアダプターは、安全規格を満たした１種類のＡＣアダプターを電子機器の複数の機種で共通に用いることにより、製造コストを抑えながら、安全品質を確保している。従って、一つの電子機器のＡＣアダプターとして、ＤＣケーブル長の異なる複数のＡＣアダプターを用意しておくことは難しい。
【０００５】
このような場合に、ＤＣケーブルを束ねて、ＡＣアダプター本体と一緒に電子機器の筐体や収納ケースに収納することが考えられる。しかし、ＤＣケーブルの束ね方や、収納時のＤＣケーブルとＡＣアダプター本体との位置関係によっては、ＡＣアダプターを電源装置として使用する際にＤＣケーブルからの輻射ノイズが増幅され、周囲の電子機器などに影響を与えてしまうという問題がある。
【０００６】
本発明の課題は、このような点に鑑みて、ＡＣアダプター本体とＤＣケーブルとをＤＣケーブルの輻射ノイズが増幅されないようにコンパクトに収納したＡＣアダプターユニット、ＡＣアダプターの収納トレイ、および、電子機器ユニットを提供することにある。
【課題を解決するための手段】
【０００７】
上記課題を解決するために、本発明のＡＣアダプターユニットは、
ＡＣインレットが形成された直方体形状のＡＣアダプター本体、および前記ＡＣアダプター本体から延びるＤＣケーブルを備えるＡＣアダプターと、
前記ＡＣアダプターを載置する載置面を備えている収納トレイとを有し、
前記ＤＣケーブルは、前記収納トレイの前記載置面と直交する方向から見たときに８の字形状に束ねられた束ね部分を備えており、
前記ＡＣアダプター本体と前記ＤＣケーブルの束ね部分とは、前記ＡＣアダプター本体の長手方向と前記ＤＣケーブルの前記束ね部分の長手方向とが平行になるようにして、前記載置面上の隣接位置に収納されていることを特徴とする。
【０００８】
本発明のＡＣアダプターユニットでは、ＤＣケーブルは束ねられており、ＤＣケーブルの束ね部分の長手方向とＡＣアダプター本体の長手方向とが平行になるようにして収納トレイの載置面上の隣接位置に載置されているので、ＡＣアダプター本体およびＤＣケーブルの載置スペースが小さくなる。従って、収納トレイを小型にすることができ、ＡＣアダプターユニットを小型化できる。ここで、ＤＣケーブルを楕円形状に束ねてＡＣアダプター本体の側方などに配置すると、束ねたＤＣケーブル部分においてＡＣアダプター本体内の電子基板と並走するケーブル部分が多くなるので、ＡＣアダプターを電源装置として使用する際にＤＣケーブルからの輻射ノイズが増幅される。また、束ね部分を楕円形状とすると、楕円形状に巻き回されているケーブル部分同士が隣接して並走した状態になるので、輻射ノイズが増幅される。これに対して、本発明では、ＤＣケーブルを収納トレイの載置面と直交する方向から見たときに８の字形状に束ねてＡＣアダプター本体の側方に配置したので、ＡＣアダプター本体内の電子基板と並走するケーブル部分が減少する。また、束ね部分における８の字形状の交差部分では、ケーブル部分同士がケーブル径の距離を保って並走することになるので、隣接して並走するケーブル部分が減少する。よって、輻射ノイズの増幅が低減される。
【０００９】
本発明において、ＤＣケーブルを８の字形状に束ねた状態で収納トレイに収納することを容易にするためには、前記ＤＣケーブルの束ね部分が載置されている前記載置面の載置部位からは、前記束ね部分の長手方向において所定間隔で対峙する一対のケーブル巻取り用突起が突出しており、前記ＤＣケーブルの束ね部分は、当該束ね部分の長手方向の両側に位置している前記８の字形状の一対の湾曲部分が、前記一対のケーブル巻取り用突起に巻き付けられていることが望ましい。
【００１０】
この場合において、ＤＣケーブルを８の字形状に束ねた状態で収納トレイ内に係止しておくためには、前記一対のケーブル巻取り用突起の上端部分には、それぞれ前記束ね部分の長手方向の外側に向かって突出する係止用突起が形成されていることが望ましい。
【００１１】
本発明において、ＤＣケーブルを収納トレイ内で８の字形状に束ねるためには、前記載置面の前記載置部位における前記一対のケーブル巻取り用突起の中央部分には、前記束ね部分の長手方向と直交する方向で、前記ＤＣケーブルの直径より広く、かつ、この直径の２倍よりも狭い間隔を開けて対峙する一対のケーブルガイド用突起が突出しており、前記ＤＣケーブルの束ね部分は、前記８の字形状の交差部分が前記一対のケーブルガイド用突起の間に配置されていることが望ましい。
【００１２】
本発明において、ＡＣアダプターユニットを電源装置として用いる際にＤＣケーブルからの輻射ノイズを低減させるためには、前記ＤＣケーブルには、フェライトコアが取り付けられており、前記ＤＣケーブルの前記フェライトコアよりも前記ＡＣアダプター側の第１ケーブル部分と、前記ＤＣケーブルの前記フェライトコアよりも前記ＡＣアダプターとは反対側の第２ケーブル部分とは、重ならないように収納されており、前記第２ケーブル部分に前記束ね部分が設けられていることが望ましい。
【００１３】
本発明において、ＡＣアダプターユニットにＡＣケーブルを接続するためには、前記収納トレイには、前記ＡＣアダプター本体における前記ＡＣインレットの形成部分を外部に露出させる開口が形成されていることが望ましい。
【００１４】
次に、本発明の電子機器ユニットは、直流電力により駆動される電子機器と、上記のＡＣアダプターユニットとを備えており、前記ＡＣアダプターユニットの前記収納トレイは、前記電子機器の底部分に下側から取り付けられていることを特徴とする。
【００１５】
本発明の電子機器ユニットによれば、ＡＣアダプターユニットが電子機器に取り付けられているので、電子機器ユニットを設置する際に、ＡＣアダプターユニットが邪魔になることがない。また、本発明の電子機器ユニットでは、電子機器とＡＣアダプターユニットとが上下方向に配置されるので、電子機器ユニットの設置スペースを省スペース化できる。
【００１６】
本発明において、前記電子機器は、プリンターとすることができる。このようにすれば、プリンターを店舗のレジカウンターやレストランの厨房などの狭いスペースに設置する際にＡＣアダプターが邪魔になることがない。
【発明の効果】
【００１７】
本発明のＡＣアダプターユニットでは、ＤＣケーブルは束ねられており、ＤＣケーブルの束ね部分の長手方向とＡＣアダプター本体の長手方向とが平行になるようにして収納トレイの載置面上の隣接位置に載置されているので、ＡＣアダプター本体およびＤＣケーブルの載置スペースが小さくなる。従って、収納トレイを小型にすることができ、ＡＣアダプターユニットを小型化できる。また、本発明では、ＤＣケーブルを収納トレイの載置面と直交する方向から見たときに８の字形状に束ねてＡＣアダプター本体の側方に配置したので、ＡＣアダプター本体内の電子基板と並走するケーブル部分が減少する。また、束ね部分における８の字形状の交差部分では、ケーブル部分同士がケーブル径の距離を保って並走することになるので、隣接して並走するケーブル部分が減少する。よって、ＡＣアダプターを電源装置として使用する際に、輻射ノイズの増幅が低減される。
【図面の簡単な説明】
【００１８】
【図１】本発明のプリンターユニットの外観斜視図である。
【図２】ロール紙プリンターの外観斜視図である。
【図３】ロール紙プリンターの背面図である。
【図４】ＡＣアダプターユニットの斜視図および平面図である。
【図５】収納トレイの斜視図および平面図である。
【図６】ケーブルカバーの斜視図である。
【発明を実施するための形態】
【００１９】
以下に、図面を参照して、本発明を適用したプリンターユニットの実施の形態を説明する。
【００２０】
（プリンターユニット）
図１はプリンターユニットの外観斜視図である。プリンターユニット１はロール紙プリンター２と、このロール紙プリンター２のプリンターケース３の底に下側から着脱可能に取り付けられたＡＣアダプターユニット４と、プリンターケース３の後側の下側部分を後側から覆うようにしてロール紙プリンター２に着脱可能に取り付けられたケーブルカバー５とを備えている。ロール紙プリンター２は、ホスト機器などに接続されて使用されるものであり、プリンターケース３の内部に収納したロール紙から繰り出される長尺状の記録紙にレシートなどを印刷する。ＡＣアダプターユニット４は、交流電力を直流電力に変換して、ロール紙プリンター２に供給する電源装置であり、収納トレイ６の内部にＡＣアダプター７を収納している。ケーブルカバー５は、ロール紙プリンター２のプリンターケース３から後側に引き出される各種のケーブルの引き出し部分を覆っている。
【００２１】
プリンターケース３は、前側に向かって下方に傾斜するケース上面部分１１と、ケース上面部分１１の前端の縁から下側に向かって後方に傾斜した後に下側に向かってプリンター上下方向に延びているケース前面部分１２と、ケース上面部分１１のプリンター幅方向の左右の縁から下方に向かってプリンター上下方向に延びた後に、内側に凹む段部を介してさらに下方に向かってプリンター上下方向に延びている左右のケース側面部分１３、１４と、ケース上面部分１１の後側の縁から後側に向かって下方に湾曲した後に下側に向かって僅かに前方に傾斜しているケース背面部分１５と、このプリンターケース３の底を規定しているケース底面部分１６を備えている。収納トレイ６は、この収納トレイ６の前後を規定しているトレイ前面部分６１およびトレイ背面部分６２と、収納トレイ６のプリンター幅方向の左右を規定している左右のトレイ側面部分６３、６４と、収納トレイ６の底を規定しているトレイ底面部分６５を備えている。トレイ背面部分６２の上端部分からは、後方に向かってフランジ部分６６が伸びている。
【００２２】
ケース前面部分１２の下側部分とトレイ前面部分６１は同一平面上に位置しており、左右のケース側面部分１３、１４の下側部分と左右のトレイ側面部分６３、６４もそれぞれ同一平面上に位置している。また、ケーブルカバー５は、収納トレイ６のフランジ部分６６に載置された状態で、プリンターケース３の後側の下側部分を覆っている
【００２３】
（ロール紙プリンター）
図２（ａ）はロール紙プリンターを前方斜め上から見た斜視図であり、図２（ｂ）はロール紙プリンターを後方斜め下から見た斜視図である。図３はロール紙プリンターの背面図である。
【００２４】
図２（ａ）に示すように、プリンターケース３のケース上面部分１１には、前側開閉蓋２１および後側開閉蓋２２が取り付けられている。前側開閉蓋２１はその前端縁部分を中心にして回動して開閉するようになっており、後側開閉蓋２２はその後端縁部分を中心に回動して開閉するようになっている。前側開閉蓋２１と後側開閉蓋２２との間には所定幅の矩形の記録紙排出口２３が形成されている。記録紙排出口２３の右側には、ケース上面部分１１の縁部分に後側開閉蓋２２と開閉するための開閉操作ボタン２４が設けられている。開閉操作ボタン２４を下方に向かって押し込むと、後側開閉蓋２２のロックが解除され、後側開閉蓋２２はばね力などの付勢力によって上方に回動して開いた状態になる。後側開閉蓋２２が開くとロール紙を収納するためのロール紙収納部が開放状態になるので、ロール紙をロール紙収納部に装填可能となる。
【００２５】
ここで、開閉操作ボタン２４の前端縁２４ａは右側に向かって前方に傾斜しており、開閉操作ボタン２４の前側に隣接する前側開閉蓋２１の右側の後端縁部分２１ａは開閉操作ボタン２４の前端縁２４ａの傾斜と対応するように右側に向かって前方に傾斜するように切り欠かれている。このような形状を備える結果、ロール紙プリンター２の前側から操作者が右手の指で開閉操作ボタン２４を操作する際に、操作者の指が開閉操作ボタン２４の前側に隣接しているプリンターケース３の部位と干渉することが回避あるいは低減される。従って、本形態のロール紙プリンター２では、後側開閉蓋２２の開閉動作が行いやすく、ロール紙の装填作業が容易である。
【００２６】
開閉操作ボタン２４の後側には、紙送りスイッチ２５、複数個の動作状態表示ランプ２６などが配列されている。また、プリンターケース３の前面部分には、電源スイッチ２７が設けられている。
【００２７】
図２（ｂ）、図３に示すように、プリンターケース３のケース背面部分１５の下側部分は、プリンター幅方向のほぼ全域に渡って切り欠かれており、前側に凹むケーブル接続部３１となっている。ケーブル接続部３１は、プリンター上下方向に延びて後側に向いている後向き端面３２と、端面３２の上側からプリンター前後方向を後側に向かって一定幅で延びる下向き面３３と、下向き面３３の後端縁から後側に向かって上方に傾斜している傾斜面３４を備えており、端面３２には、ホスト機器などと接続するためのＲＳ−２３２コネクター３５およびＵＳＢコネクター３６が設けられている。また、ＲＳ−２３２コネクター３５およびＵＳＢコネクター３６の間には、直流電力の供給を受けるための電源コネクター３７が設けられている。端面３２のプリンター幅方向の両端部分には、ケーブルカバー５に設けられた突起８８ｃ、８８ｄ（図５参照）を受け入れるための係止孔３８、３９が形成されている。傾斜面３４のプリンター幅方向の端部分には、釣り銭や売上金を格納するドロワー装置（銭箱装置）を接続するためのドロワーキックコネクター４０が設けられている。ドロワーキックコネクター４０の後側にはプリンター幅方向に係止板４１が架け渡されており、係止板４１には、ケーブルカバー５に設けられたフック８８ａ、８８ｂ（図５参照）を係止するための係止部４２、４３が形成されている。
【００２８】
ケース底面部分１６の四隅には、ＡＣアダプターユニット４を用いないでロール紙プリンター２を使用する際に、このロール紙プリンター２の足となる４本の突起４４が形成されている。また、これらの突起４４のうち、後側の２本の突起４４の近傍には、それぞれネジ孔４５が形成されている。
【００２９】
ケース底面部分１６において、プリンター幅方向の中央位置には、ロール紙プリンター２の前側からケーブル接続部３１を介して、ロール紙プリンター２の後側まで繋がっている溝部４６が形成されている。
【００３０】
溝部４６は、ＡＣアダプターユニット４を用いないでロール紙プリンター２を使用する場合に、各コネクター３５〜３７、４０に接続された各ケーブルをロール紙プリンター２の前側に引き出すために用いられる。すなわち、溝部４６の深さ寸法と突起４４の高さ寸法を合わせた合計寸法は、各コネクター３５〜３７、４０に接続されるＤＣケーブル５１（図４参照）、ＲＳ−２３２ケーブル、ＵＳＢケーブル、ドロア接続用ケーブルのうち最も太いケーブルの径寸法よりも僅かに大きな寸法となっており、各コネクター３５〜３７、４０に接続された各ケーブルを溝部４６に挿通させれば、プリンターケース３の下方を通過させて、ロール紙プリンター２の前側に引き出すことが可能である。
【００３１】
溝部４６は、幅の狭い前端側溝部分４６ａと、前端側溝部分４６ａとケーブル接続部３１との間において前端側溝部分４６ａよりも幅の広い後側溝部分４６ｂとを備えている。
【００３２】
前端側溝部分４６ａの幅寸法、すなわち、プリンターケース３の前面部分の下端に形成された開口部４６ｃの幅寸法は、溝部４６に同時に挿通される可能性が高い複数本のケーブルの径の合計寸法に基づいて規定されている。より具体的には、ホスト機器との接続に用いられるＲＳ−２３２ケーブルとＵＳＢケーブルとは選択的に使用されることが多いので、前端側溝部分４６ａの幅寸法は、ＤＣケーブル５１、ＲＳ−２３２ケーブルおよびドロア接続用ケーブルの各径寸法の合計寸法と、ＤＣケーブル５１、ＲＳ−２３２ケーブルおよびＵＳＢケーブルの各系寸法の合計寸法のうち、大きい方の合計寸法よりも僅かに大きな寸法となっている。なお、溝部４６の前端側溝部分４６ａの幅寸法は、ＤＣケーブル５１、ＲＳ−２３２ケーブル、ＵＳＢケーブルおよびドロア接続用ケーブルの４本のケーブルの各径寸法の合計寸法よりも僅かに大きな寸法としておくこともできる。
【００３３】
後側溝部分４６ｂの幅寸法は、収納トレイ６内に収納されたＡＣアダプター７のＡＣアダプター本体５２（図４参照）のトレイ幅方向における幅寸法と前端側溝部分４６ａの幅寸法との合計寸法よりも大きな寸法としてある。後述するように、後側溝部分４６ｂには、収納トレイ６の上端開口６ａから上方に突出しているＡＣアダプター本体５２の上端部分が挿入される。このため、後側溝部４６においてＡＣアダプター本体５２が占める幅寸法を除いた幅寸法が前端側溝部分４６ａの幅寸法よりも広くなるようにして、各コネクター３５〜３７、４０に接続された各ケーブルを後側溝部分４６ｂに挿通可能としている。
【００３４】
（ＡＣアダプターユニット）
図４（ａ）はＡＣアダプターユニットの斜視図であり、図４（ｂ）はその平面図である。ＡＣアダプターユニット４は、ＡＣインレット５２ａが形成されたＡＣアダプター本体５２およびＡＣアダプター本体５２から延びるＤＣケーブル５１を備えるＡＣアダプター７と、このＡＣアダプター７をトレイ底面部分６５（載置面）上に載置して収納している樹脂製の収納トレイ６を有している。
【００３５】
ＡＣアダプター本体５２は直方体形状をしている。ＤＣケーブル５１はＡＣアダプター本体５２の前端面５２ｂの中央部分から引き出されており、ＤＣケーブル５１の先端部分には、ロール紙プリンター２の電源コネクター３７と接続可能なケーブル側電源コネクター５３が設けられている。また、ＤＣケーブル５１の途中には、輻射ノイズを低減させるためのフェライトコア５４が取り付けられている。ＡＣインレット５２ａはＡＣアダプター本体５２の後端面部分５２ｃに形成されており、このＡＣインレット５２ａには交流電力のコンセントに接続するプラグピンを備える不図示のＡＣケーブルが着脱可能に接続される。ＡＣケーブルがコンセントに接続され、ＤＣケーブル５１がロール紙プリンター２の電源コネクター３７に接続されると、ＡＣアダプター７は、コンセントからＡＣケーブルを介して供給される交流電力をＡＣアダプター本体５２で直流電力に変換し、ＤＣケーブル５１を介してロール紙プリンター２へ供給する。
【００３６】
ＡＣアダプター本体５２は、その長手方向がトレイ前後方向と一致するようにして、収納トレイ６のトレイ幅方向の中央から僅かに右側に寄った中央右寄り部位６Ａに収納されている。ＡＣアダプター本体５２の上端部分は収納トレイ６の上端開口６ａよりも僅かに上方に突出しており、この突出部分は、ＡＣアダプターユニット４がプリンターケース３に取り付けられたときに、溝部４６の後側溝部分４６ｂに挿入される。
【００３７】
ＤＣケーブル５１は、フェライトコア５４が取り付けられた部分がＡＣアダプター本体５２の前側の前側部位６Ｂに収納されている。ＤＣケーブル５１においてフェライトコア５４よりもＡＣアダプター７側のアダプター側ケーブル部分（第１ケーブル部分）５１ａは、ＡＣアダプター本体５２よりも右側の左側部位６Ｃに引き回されている。フェライトコア５４よりもケーブル側電源コネクター５３側のコネクター側ケーブル部分（第２ケーブル部分）５１ｂは、ＡＣアダプター本体５２の左側の左側部位６Ｄに引き回されている。
【００３８】
コネクター側ケーブル部分５１ｂは、収納トレイ６のトレイ底面部分６５と直交する方向から見たときに８の字形状に束ねられた束ね部分５１ｃを備えている。束ね部分５１ｃは左側部位６Ｃに載置されており、その長手方向はＡＣアダプター本体５２の長手方向と平行になっている。なお、図４では、ケーブル側電源コネクター５３は収納トレイ６内に収納された状態となっているが、ＡＣアダプターユニット４をプリンターケース３に取り付けてロール紙プリンター２の電源装置として用いる際には、ケーブル側電源コネクター５３を収納トレイ６から上方に引き出して、電源コネクター３７に接続する。
【００３９】
図５（ａ）は収納トレイの斜視図であり、図５（ｂ）はその平面図である。トレイ底面部分６５の中央右寄り部位６Ａからは、この中央右寄り部位６ＡをＡＣアダプター本体５２の形状と対応する形状に区画している板状の複数枚のＡＣアダプター固定用突起６７が垂直方向に突出している。トレイ底面部分６５において、これら複数枚のＡＣアダプター固定用突起６７の内側は、僅かな縁部６８を残して矩形にくり抜かれて開口部６９となっている。開口部６９はＡＣアダプター本体５２で発生する熱を収納トレイ６の外へ排出する。
【００４０】
トレイ背面部分６２において、中央右寄り部位６Ａと対峙している部分には矩形のＡＣインレット用開口部７０が形成されている。ＡＣアダプター本体５２を中央右寄り部位６Ａに収納するとＡＣインレット用開口部７０からＡＣインレット５２ａが外側に露出する。従って、収納トレイ６の外側から、ＡＣインレット用開口部７０を介して、ＡＣケーブルをＡＣアダプター本体５２に接続できる。ＡＣインレット用開口部７０の上側のトレイ背面部分６２の上端縁部分からは、前方に向かってＡＣアダプター本体用係止板７１が突出している。ＡＣアダプター本体用係止板７１は、ＡＣアダプター本体５２が中央右寄り部位６Ａに収納されたときに、ＡＣアダプター本体５２の上面の後端縁部分に当接して、ＡＣアダプター本体５２が上方に外れることを防止する。
【００４１】
トレイ底面部分６５の前側部位６Ｂからは、フェライトコア５４を固定するための一対のフェライトコア固定用突起７２が突出している。フェライトコア５４は一対のフェライトコア固定用突起７２と収納トレイ６のトレイ前面部分６１との間に挟まれた状態で固定される。
【００４２】
トレイ底面部分６５の右側部位６Ｃからは、スナップフィットを構成する一対の舌片状の突起７３が突出している。アダプター側ケーブル部分５１ａは、これら一対の舌片状の突起７３の間に挿入されて、係止される。
【００４３】
トレイ底面部分６５の左側部位６Ｄからは、トレイ前後方向（ＤＣケーブル５１の束ね部分５１ｃの長手方向）において所定間隔で対峙する一対のケーブル巻取り用突起７４が突出している。一対のケーブル巻取り用突起７４は、それぞれトレイ前後方向の外側に向かって突出する円弧形の平面形状を備えている。また、一対のケーブル巻取り用突起７４の上端部分には、それぞれトレイ前後方向の外側に向かって突出する係止用突起７４ａが形成されている。
【００４４】
一対のケーブル巻取り用突起７４の間の中央部分からは、収納トレイ６の幅方向（ＤＣケーブル５１の束ね部分５１ｃの長手方向と直交する方向）で対峙する一対のケーブルガイド用突起７５が突出している。一対のケーブルガイド用突起７５は、板状であり、トレイ前後方向の中央に折り曲げ部分を備えている。また、この折り曲げ部分が一対のケーブルガイド用突起７５の内側に向かって突出するようにして、対峙している。一対のケーブルガイド用突起７５の間の距離Ｌは、ＤＣケーブル５１の直径より広く、この直径の２倍よりも狭い。一対のケーブルガイド用突起７５の左側には、スナップフィットを構成する一対の舌片状の突起７６が突出している。
【００４５】
ＤＣケーブル５１の束ね部分５１ｃが収納トレイ６の左側部位６Ｄに収納される際には、ＤＣケーブル５１の束ね部分５１ｃは、この束ね部分５１ｃの長手方向の両側に位置している８の字形状の一対の湾曲部分が、一対のケーブル巻取り用突起７４に巻き付けられる。そして、係止用突起７４ａによって、上方に外れないように係止される。また、ＤＣケーブル５１の束ね部分５１ｃは、８の字形状の交差部分が一対のケーブルガイド用突起７５の間に配置される。そして、ＤＣケーブル５１のケーブル側電源コネクター５３に近いケーブル部分が一対の舌片状の突起７６の間に挿入されて、係止される。
【００４６】
トレイ底面部分６５の右側部位６Ｃおよび左側部位６Ｄの後側部分からは、それぞれ中心にネジ孔７７ａを備える円柱形状のトレイ固定用突起７７が突出している。ＡＣアダプターユニット４は、トレイ底面部分６５の下方から各トレイ固定用突起７７のネジ孔７７ａを貫通してプリンターケース３底面の各ネジ孔４５に至るボルト（不図示）により、ロール紙プリンター２に取り付けられる。
【００４７】
トレイ前面部分６１のトレイ幅方向の中央の上端部分には、上端開口６ａよりも上方に突出する突出部６１ａが形成されている。この突出部６１ａは、図１に示すように、収納トレイ６がプリンターケース３に取り付けられたときに、プリンターケース３の前面部分の下端に形成されている溝部４６の開口部４６ｃを閉鎖する。
【００４８】
（ケーブルカバー）
図６はケーブルカバーの斜視図である。ケーブルカバー５は、樹脂製であり、略台形の左右一対のカバー側板部分８１、８２と、これら一対のカバー側板部分８１、８２の上端に架け渡された上側カバー板部分８３と、後端に架け渡された後側カバー側板部分８４と、前端の上端部分に架け渡された幅の狭い前側カバー側板部分８５を備えている。一対のカバー側板部分８１、８２の下端縁部分には、それぞれ半円形の切り欠き部８６、８７が形成されている。これらの切り欠き部８６、８７は、ケーブル接続部３１の各コネクター３５〜３７、４０に接続された各ケーブルをロール紙プリンター２の側方に引き回す場合などに、これらのケーブルを挿通させるためのものである。
【００４９】
また、ケーブルカバー５は、左側カバー側板部分８１の前端縁の内側、前側カバー側板部分８５の下端縁、および右側カバー側板部分８２の前端縁の内側から前方に突出する係止板部分８８を備えている。係止板部分８８において右側カバー側板部分８２の近傍の部位は、ケーブルカバー５をプリンターケース３に取り付けたときに、ドロワーキックコネクター４０に接続されているドロワーキック用ケーブルと干渉しないように切り欠き部８９が形成されている。
【００５０】
ケーブルカバー５をプリンターケース３に取り付ける際には、プリンターケース３の後側から、係止板部分８８をケーブル接続部３１内に挿入する。係止板部分８８がケーブル接続部３１内に挿入されると、係止板部分８８がプリンターケース３の左右のケース側面部分１３、１４の内側面および係止板４１の下端面に当接し、係止板部分８８に設けられている左右のフック８８ａ、８８ｂが係止板４１の係止部４２、４３に係止され、係止板部分８８の前端縁から突出している左右の突起８８ｃ、８８ｄが後向き端面３２に形成されている係止孔３８、３９に挿入される。ケーブルカバー５がプリンターケース３に取り付けられると、ケーブルカバー５は、収納トレイ６のフランジ部分６６に載置された状態で、ケーブル接続部３１を覆う。
【００５１】
（ＡＣアダプターユニットの効果）
本実施の形態のＡＣアダプターユニット４では、ＤＣケーブル５１は束ねられており、ＤＣケーブル５１の束ね部の長手方向とＡＣアダプター本体５２の長手方向とが平行になるようにして収納トレイ６のトレイ底面部分６５上の隣接位置に載置されているので、ＡＣアダプター本体５２およびＤＣケーブル５１の載置スペースが小さい。従って、収納トレイ６を小型にすることができ、ＡＣアダプターユニット４を小型化できる。
【００５２】
ここで、ＤＣケーブル５１を楕円形状に束ねてＡＣアダプター本体５２の側方などに配置すると、束ねたＤＣケーブル５１部分においてＡＣアダプター本体５２内の電子基板と並走するケーブル部分が多くなるので、ＡＣアダプター７を電源装置として使用する際にＤＣケーブル５１からの輻射ノイズが増幅されてしまう。また、束ね部分５１ｃを楕円形状としておくと、楕円形に巻き回されているケーブル部分同士が隣接して並走した状態になるので、輻射ノイズが増幅されてしまう。これに対して、本実施の形態では、ＤＣケーブル５１を収納トレイ６の上端開口６ａ側から見たときに８の字形状に束ねてＡＣアダプター本体５２の側方に配置したので、ＡＣアダプター本体５２内の電子基板と並走するケーブル部分が減少する。また、本実施の形態では、束ね部分５１ｃが８の字形状となっており、８の字形状の交差部分では、ケーブル部分同士がケーブル径の距離を保って並走することになるので、隣接して並走するケーブル部分が減少する。よって、輻射ノイズの増幅は低減される。なお、発明者らの測定によれば、束ね部分５１ｃを８の字形状として収納トレイ６に収納することにより、束ね部分５１ｃを楕円形状として収納トレイ６に収納した場合と比較して、４ｄＢ程度、輻射ノイズが減少した。
【００５３】
また、本実施の形態では、収納トレイ６のトレイ底面部分６５の左側部位６Ｄからは、一対のケーブル巻取り用突起７４と、一対のケーブルガイド用突起７５とが突出している。従って、収納トレイ６内において、ＤＣケーブル５１を８の字形状に引き回して束ねることが容易である。
【００５４】
さらに、本実施の形態では、収納トレイ６内において、ＤＣケーブル５１のフェライトコア５４よりもＡＣアダプター７側のアダプター側ケーブル部分５１ａと、フェライトコア５４よりもケーブル側電源コネクター５３側のコネクター側ケーブル部分５１ｂとは、重ならないように収納されている。従って、フェライトコア５４によって輻射ノイズが減衰された部分に、再び、輻射ノイズが載ることを低減できる。
【００５５】
また、本実施の形態では、ＡＣアダプター７が収納されたＡＣアダプターユニット４がロール紙プリンター２のプリンターケース３のトレイ底面部分６５に下側から取り付けられているので、プリンターユニット１の設置スペースが省スペース化されている。従って、ロール紙プリンター２を店舗のレジカウンターやレストランの厨房などの狭いスペースに設置する際に、ＡＣアダプター７が邪魔になることがない。
【００５６】
なお、上記の実施の形態では、収納トレイ６の上端開口６ａからＡＣアダプター本体５２の上端面が突出しているが、収納トレイ６のトレイ前面部分６１、トレイ背面部分６２および左右のトレイ側面部分６３、６４の高さ寸法を長くして、ＡＣアダプター本体５２を収納トレイ６内に収納してもよい。
【符号の説明】
【００５７】
１・プリンターユニット、２・ロール紙プリンター、３・プリンターケース、４・ＡＣアダプターユニット、５・ケーブルカバー、６・収納トレイ、６ａ・上端開口、６Ａ・中央右寄り部位、６Ｂ 前側部位、６Ｃ右側部位、６Ｄ左側部位、７・ＡＣアダプター、１１・ケース上面部分、１２・ケース前面部分、１３・１４・ケース側面部分、１５・ケース背面部分、１６・ケース底面部分、２１・前側開閉蓋、２１ａ・右側の後端縁部分、２２・後側開閉蓋、２３・記録紙排出口、２４・開閉操作ボタン、２４ａ・前端縁、２５・紙送りスイッチ、２６・動作状態表示ランプ、２７・電源スイッチ、３１・ケーブル接続部、３２・後向き端面、３３・下向き面、３４・傾斜面、３５・ＲＳ−２３２コネクター、３６・ＵＳＢコネクター、３７・電源コネクター、３８・３９・係止孔、４０・ドロワーキックコネクター、４１・係止板、４２・４３・係止部、４４・突起、４５・ネジ孔、４６・溝部、４６ａ・前端側溝部分、４６ｂ・後側溝部分、４６ｃ・開口部、５１・ＤＣケーブル、５１ａ・アダプター側ケーブル部分（第１ケーブル部分）、５１ｂ・コネクター側ケーブル部分（第２ケーブル部分）、５１ｃ・束ね部分、５２・ＡＣアダプター本体、５２ａ・ＡＣインレット、５２ｂ・前端面、５２ｃ・後端面部分、５３・ケーブル側電源コネクター、５４・フェライトコア、６１・トレイ前面部分、６１ａ・突出部、６２・トレイ背面部分、６３・６４・トレイ側面部分、６５・トレイ底面部分、６６・フランジ部分、６７・ＡＣアダプター固定用突起、６８・縁部、６９・開口部、７０・ＡＣインレット用開口部、７１・ＡＣアダプター本体用係止板、７２・フェライトコア固定用突起、７３・一対の突起、７４・一対のケーブル巻取り用突起、７４ａ・係止用突起、７５・一対のケーブルガイド用突起、７６・一対の突起、７７・トレイ固定用突起、７７ａ・ネジ孔、７７・トレイ固定用突起、８１・左側カバー側板部分、８２・右側カバー側板部分、８３・上側カバー板部分、８４・後側カバー側板部分、８５・前側カバー側板部分、８６・８７・切り欠き部、８８・係止板部分、８８ａ・８８ｂ・フック、８８ｃ・８８ｄ・突起
【図１】
0005463821.tif 000002
【図２】
0005463821.tif 000003
【図３】
0005463821.tif 000004
【図４】
0005463821.tif 000005
【図５】
0005463821.tif 000006
【図６】
0005463821.tif 000007